(57)【要約】  周波数が超短波帯（ＶＨＦ）にある無線放送信号を受信する電子回路を含むポータブル電子デバイス（１５）が開示される。前記受信回路は、特に、前記ポータブル・デバイス（１５）のリストバンド内に収容された一般に平巻の渦巻きばね状の巻き線を各々有する１つまたは複数のコイル（２、２７）を含む。その結果、きわめて高品質で小型の無線放送信号受信回路が得られる。
2005515679.tif 000002
【特許請求の範囲】
【請求項１】
リストバンドと、ケース（１８）と、前記リストバンド内に配置されたアンテナ（１）を含む無線放送信号を受信する回路とを含むポータブル電子デバイス（１５）であって、前記アンテナ（１）が渦巻きばね状の巻き線の形に作成された少なくとも１つの平巻コイル（２）を含むことを特徴とするポータブル電子デバイス（１５）。
【請求項２】
リストバンドと、ケース（１８）と、前記リストバンド内に配置されたアンテナ（１）を含む無線放送信号を受信する回路とを含むポータブル電子デバイス（１５）であって、前記アンテナ（１）が各々渦巻きばね状の巻き線の形に作成された少なくとも第１の平巻コイル（２）と第２の平巻コイル（２７）とを含み、前記アンテナ（１）が２つの向き合う面（２９、３０）を有する撓み基板（２８）上に印刷され、前記２つのコイル（２、２７）がそれぞれ前記基板（２８）の一方の面（２９）と他方の面（３０）上にそれぞれ印刷されていることを特徴とするポータブル電子デバイス（１５）。
【請求項３】
前記アンテナ（１）が渦巻きばね状の巻き線の形に作成された第２の平巻コイル（２７）を含むことを特徴とする請求項１に記載の電子デバイス（１５）。
【請求項４】
前記リストバンドが２つのストランド（１６）と、ストランド（１６）のそれぞれ一方と他方の内部に配置された２つのコイル（２、２７）とを含むことを特徴とする請求項３に記載の電子デバイス（１５）。
【請求項５】
前記アンテナ（１）が撓み基板（４、２８）上に印刷されていることを特徴とする請求項１または３に記載の電子デバイス（１５）。
【請求項６】
前記アンテナ（１）が撓み基板（４、２８）上に印刷されていることを特徴とする請求項４に記載の電子デバイス（１５）。
【請求項７】
それぞれの渦巻きばね状の巻き線は、前記コイル（２、２８）が対応する巻き線の外側に位置する第１の端部（５、３１）と前記巻き線の内側に位置する第２の端部（９、３２）とを各々有し、前記第２のそれぞれの端部（９、３２）が基板（２８）を貫通し電導材料を充填されて作成された穴（１０）を介して接続されることを特徴とする請求項２に記載の電子デバイス（１５）。
【請求項８】
固定観察点で第１の端部（５、３１）から巻き線を考察した時に、前記コイル（２、２７）が逆の巻き方向を有することを特徴とする請求項７に記載の電子デバイス（１５）。
【請求項９】
前記ケース（１８）が水密であり、前記無線放送信号受信回路が前記ケース（１８）内に位置する集積回路（２２）を含み、前記集積回路（２２）が前記無線放送信号を処理でき、前記アンテナ（１）を前記集積回路（２２）内に封止状態で接続する手段（６、７、８、２４、２５、２６）が設けられいることを特徴とする請求項１、２、または８に記載の電子デバイス（１５）。
【請求項１０】
前記接続手段が内部に少なくとも１つの封止ガスケット（２５、２６）が配置された前記ケース（１８）内の適当な開口を通過する金属コネクタ（６、８）を含むことを特徴とする請求項９に記載の電子デバイス（１５）。
【請求項１１】
前記アンテナ（１）が基板（４、２８）上に印刷されている時に、前記金属コネクタ（６、８）も前記基板（４、２８）上に印刷されていることを特徴とする請求項１０に記載の電子デバイス（１５）。
【請求項１２】
前記巻き線の外側に位置する前記第１の１つまたは複数の端部（５、３１）を接続する金属コネクタまたはコネクタ（６、８）が前記巻き線と一体に形成されていることを特徴とする請求項１０に記載の電子デバイス（１５）。
【請求項１３】
前記アンテナ（１）が単一のコイル（２）を有する時に、前記アンテナ（１）が撓み基板上に印刷され、電導材料を充填した少なくとも１つの穴（１０）が前記基板（４）内に設けられ、巻き線の前記第２の端部（９）を前記対応する金属コネクタ（６、８）に接続することを特徴とする請求項１２に記載の電子デバイス（１５）。
【請求項１４】
前記金属コネクタ（６、８）が銅製であることを特徴とする請求項１３に記載の電子デバイス（１５）。
【請求項１５】
前記集積回路（２２）がプリント回路基板（１９）に設けられ、接点（２０）が形成されたプリント回路基板（１９）へ前記金属コネクタ（６、８）を接続する手段が設けられ、プリント回路基板（１９）はさらに前記接点（２０）を前記集積回路（２２）に接続するための金属化経路（２３）を含むことを特徴とする請求項９に記載の電子デバイス（１５）。
【請求項１６】
前記集積回路（２２）がプリント回路基板（１９）に設けられ、接点（２０）が形成されたプリント回路基板（１９）へ前記金属コネクタ（６、８）を接続する手段が設けられ、プリント回路基板（１９）はさらに前記接点（２０）を前記集積回路（２２）に接続するための金属化経路（２３）を含むことを特徴とする請求項９に記載の電子デバイス（１５）。
【請求項１７】
前記１つまたは複数のコイル（２、２７）が銅製であることを特徴とする請求項１５に記載の電子デバイス（１５）。
【請求項１８】
アンテナ（１）が約１００ＭＨｚの搬送周波数を有する無線放送信号を受信することができるように前記アンテナ（１）の寸法が提供されることを特徴とする請求項１５に記載の電子デバイス（１５）。
【請求項１９】
前記ケース（１８）が時間表示手段に結合された時計仕掛のムーブメント（３３）をさらに含むことを特徴とする請求項１８に記載の電子デバイス（１５）。
【請求項２０】
外側表面（１７）側に位置する前記リストバンドの厚み（ｄ）が他方の側に位置するリストバンドの厚みより大きくなるように前記アンテナ（１）が前記リストバンド内に収容されていることを特徴とする請求項１または２に記載の電子デバイス（１５）。
【発明の詳細な説明】
【技術分野】
【０００１】
本発明は、リストバンドと、ケースと、前記リストバンド内に配置されたアンテナを含む無線放送信号を受信する回路とを含むポータブル電子デバイスに関する。
【０００２】
より詳細には、本発明は、当該ポータブル・デバイスが、周波数が超短波帯にある信号、すなわちＶＨＦ波をきわめて高感度に受信するための特有のアンテナ構造に関する。好ましくは、そのアンテナはＦＭ（「周波数変調」）帯の周波数範囲に属する信号、言い換えれば周波数がほぼ８７〜１１０ＭＨｚからなる信号を送受信できる。
【背景技術】
【０００３】
そのようなデバイスは従来技術ですでに開示されており、特にきわめて多様なアンテナ構造が提案されている。
【０００４】
例えば、特にアンテナの使用を必要とする無線放送信号を受信する回路を組み込んだ腕時計を開示する１９８８年６月２８日付与の米国特許第４７５４２８５号を参照できる。開示された解決策は広げることができるリストバンドの全長にわたって金属ワイヤをそのワイヤがリストバンドの幅の方向において巻かれるように配置する。したがって、ワイヤの長さは装着位置でリストバンドの長さより長く、リストバンドを広げることができる。
【発明の開示】
【発明が解決しようとする課題】
【０００５】
ただし、この解決策はリストバンド内でかなりの空間をとることに加え、リストバンドが固定デバイスを介して互いに閉じる２本のストランドを含む腕時計には適さない。
【０００６】
ストランドの腕時計ケースに結合された一端から他方のストランドに固定する手段を備えた端部までリストバンドの２本のストランドを通る簡単な金属ワイヤ・ループなどの、特定の例の他の解決策も提示されている。また、固定手段の位置でループの２つの部分の間に電気的結合を確立する手段も提供されている。
【０００７】
ただし、これらの結合手段は、外部環境、特に時計を装着している人物の発汗から保護されることが好ましく、相当の保護手段を講じなければならないため、ますますリストバンドの構造を複雑にする。
【課題を解決するための手段】
【０００８】
本出願人はその研究中に、本発明により、特に簡単なアンテナ構造により、簡単ではあっても、良好なＶＨＦ無線放送受信感度を提供する上記のポータブル電子デバイスを改良できることができることを示した。本発明の解決策によって従来技術の構造に大幅な変更を内部に組み込む必要なしにこの種類のアンテナを使用できる。
【０００９】
すなわち、本発明は、アンテナが渦巻きばね状の巻き線の形に作成された少なくとも１つの平巻コイルを含むことを特徴とする上記の種類のポータブル電子デバイスに関する。
【００１０】
これにより、リストバンド内の必要なアンテナ空間は大幅に縮小され、同時に本発明の電子デバイスは最適な受信品質を有する。
【００１１】
第２の実施態様では、アンテナは渦巻きばね状の巻き線の形に作成された第２の平巻コイルを含んでいる。これによって、２つのコイルを直列に結合させて、リストバンド内の必要なアンテナ空間がわずかに増加するだけで、本発明のデバイスの感度をさらに向上させることができる。また、２つの独立した部分からなるリストバンドを含み、２つのコイルのうち第１のコイルを第１のストランド内に配置し、第２のコイルを第２のリストバンドのストランド内の配置するリストバンドを含むデバイス内で本発明を実施することもできる。
【００１２】
また、各コイルが、例えば、基板上に金属路を蒸着することで形成され、この場合、第１のコイルが前記基板の第１の面に配置され、第２のコイルが前記基板の第２の面に配置されていてもよい。この変形形態によって、特に無線放送信号受信回路が電子デバイスのケース内に収容されている時に無線放送信号受信回路との結合手段が容易になる。
【００１３】
本発明のアンテナを支持する基板が撓み性材料で作成され、リストバンドが変形できることが好ましいのは当然である。
【００１４】
一般に、受信回路の集積回路が電子デバイスのケース内に収容されているために、前記集積回路を１つまたは複数のコイルに接続するために金属路が使用される。これら金属路は好ましくは前記ケース内部に突き出した基板の突出部によって支持される。
【００１５】
さらに、コイル特有の渦巻きばね形状のため、基板に開口が設けられ、コイルの内部端を対応する金属路に接続することができる。
【００１６】
好ましい実施態様では、上記の解決策は、この例ではケースが時間表示手段に結合された時計ムーブメントを含む時計内に実装される。
【００１７】
本発明のその他の特徴および利点は例示の添付図面を参照しながら以下の詳細な説明を読むことで理解されよう。
【発明を実施するための最良の形態】
【００１８】
図１は、渦巻きばね状の巻き線コイルの特有の形状を示す、本発明の主要な実施形態の単一のコイル２を含むアンテナ１の通常の斜視図である。コイル２は好ましくは銅製で数マイクロメートル程度の小さい厚みを有し、基板４の前面３に配置されていることに留意されたい。
【００１９】
リストバンド内の利用可能な表面を最適化するという目的を持って、基板４はほぼ矩形の形状を有する。同様に、コイル２の渦巻きばね状の巻き線は利用可能な表面を最適化するために一般にほぼ矩形の形状を有する。
【００２０】
コイル２の表面をポータブル・デバイスのケース内に収容した場合と比較してはるかに大きくできるという点で特に有利なシステムが得られる。
【００２１】
コイル２の第１の端部５は渦巻きばねの外側に位置し、長い矩形のコネクタ６によって延びだしている。コネクタは基板４の突出部７に配置され、コイル２の第１の端部５を集積回路（図２）に接続するためのものである。
【００２２】
第２の長い矩形のコネクタ８は第１のコネクタ６と平行に基板の突出部７に配置され、コイル２の第２の端部９を集積回路に接続するように形成されている。第２の端部９は渦巻きばねの内側に位置しているので、基板４を貫通した開口１０が配置され、そこに高い導電レベルを有する材料が充填されている。したがって、コイル２の第２の端部９との電気的接触は基板４の背面１１で行われる。同様に、コイル２の脇に配置された第２のコネクタ８の端部１３の下側で開口１２が基板４を貫通して配置されている。開口には導電材料が充填され、基板の背面１１で第２のコネクタ８との電気的接触を形成する。さらに、金属化経路１４が設けられてコイル２の第２の端部９と第２の矩形のコネクタ８との電気接続が形成されている。この構造は限定的でない例として記述される。当業者は、電気接続機能を確実に実行する他の同等構造を使用することができるであろう。
【００２３】
図１に示すアンテナ１はポータブル・デバイスのリストバンド内に収容されるようになっているので、特に本発明の電子デバイスを携帯するための変形可能なリストバンドが用いられるときには、基板４は撓み性材料で作成される。この場合、カプトン（登録商標）などの材料、または銅と同等の粘着性と柔軟性とを有する他の任意の材料を使用できる。さらに基板４の厚さは数１０μｍ程度である。
【００２４】
アンテナ１の製造は従来技術で知られている技法、特にプリント基板製造の分野の技法に依存する。実際、当業者は容易にその分野の従来の方法の１つを利用できるであろう。
【００２５】
例えば、適当な寸法に切断され、電導材料を充填した上記２つの開口１０、１２を含むカプトン皮膜から始めることができる。このように作成された皮膜は、アンテナ１の基板４を形成する。次いで銅の皮膜が基板の各表面３、１１に接着される。２枚の銅皮膜は、コイル２のパターンにも、コネクタ６と８のパターンにも、また基板の背面１１上に位置する金属化経路１４のパターンにも対応しない部分を空けるように部分的に保護される。次いでその空けておいた部分をエッチングすることで、例えば、図１に示すように、コイル２とコネクタが得られる。
【００２６】
図１に示すアンテナ１は、動作する周波数に依存して当業者は渦巻きばねの寸法を適合させることに特に注意しなければならない。実際、コイルを含むアンテナの分野のよく知られている現象は隣接する巻回の間に発生することがある容量結合である。したがって、当業者は、特にコイルを作成するために使用する銅の厚みと動作周波数、周波数と共に増加する容量結合の関数である渦巻きばねの２連続巻回の間に存在する距離を適切に決めるように注意しなければならない。
【００２７】
図２は、説明したアンテナ１をリストバンドのストランド１６に組み込んだ本発明のポータブル電子デバイス１５の図である。この図において、本発明のアンテナ１の寸法は普通の寸法を有するリストバンドをポータブル・デバイス１５に取り付けることができることに留意されたい。
【００２８】
ここでアンテナ１は基板４の柔軟性を示すように折り曲げた構成として示されている。アンテナ１をストランド１６の上面１７、すなわち外側表面付近に配置することの重要性に注意する必要がある。実際、人体は普通、遮蔽効果によってその付近に配置されたアンテナの感度の低下の原因になる。そのため、距離ｄが可能な限り大きい値を有する必要がある。したがって、本発明の電子デバイスのアンテナは高い信号受信感度を有する。
【００２９】
実際的な観点から見ると、電子デバイス１５のリストバンド内へのアンテナ１の組み込みは様々な方法で実装できる。例えば、リストバンド・ストランド１６がプラスチック材料でできている時には、基板４の突出部７を除いて、リストバンド・ストランド１６内にアンテナ１を直接オーバーモールドする。また、ストランドを形成する材料内にアンテナ１の寸法より大幅に大きい寸法の凹部を設け、アンテナ１をそこに滑り込ませることができるリストバンド・ストランド１６を使用することもできる。また、単に、例えば、互いに縫い合わされた２つの層からなり、アンテナ１がその間に配設されている２つの層のリストバンド・ストランド１６を使用することもできる。
【００３０】
ポータブル電子デバイスがリストバンド構造によって限定されないことが言うまでもなく、リストバンド構造は１つまたは複数のストランドを含むことができ、広げられるものでも広げられないものでも良い。
【００３１】
この図から、矩形のコネクタ６、８を設けた基板４の突出部７はポータブル電子デバイス１５のケース１８内部にまで延び、プリント回路基板１９に接していることもわかるであろう。プリント回路基板１９はその基板を貫通し電導材料を充填した２つの開口２０（図２ではその一方だけが示されている）を含む。矩形のコネクタ６、８はそれぞれ開口２０の各々でプリント回路基板１９に接続され、プリント回路基板１９の上面２１でコイル２の端部５、９の各々の電気接点となっている。コネクタ６、８とプリント回路基板１９との接続は従来の方法、すなわち、半田付け、ねじ込み、電導接着剤を用いた接着、またはその他の任意の同等手段によって達成できる。
【００３２】
集積回路２２もプリント回路基板１９に設けられ、金属化経路２３（図２ではその一方だけが示されている）によって電気接点２０に接続されている。この集積回路２２はアンテナ１が受信する無線放送信号を処理し、次いで本発明の電子デバイス１５のユーザが直接利用可能な形で利用できるようにすることができる。ポータブル電子デバイス１５の動作のこの態様は本発明の二次的な特質にすぎないのでここでは詳しく扱わない。
【００３３】
２つの矩形のコネクタ６、８を設けた基板４の突出部７の通路に関する構造の詳細についてもここでは述べない。これは多数の解決策がすでに従来技術の文献に記載されているからである。興味のある読者は、例えば、その内容が本出願に参照として組み込まれている２０００年９月６日発行の欧州特許出願第１０３３６３６号を参照できる。
【００３４】
本特許出願は水密の時計ケースを貫通する電気コネクタの通路のいくつかの実施形態を示している。本特許出願で開示された解決策は、ほぼ管状の通路２４が配置された時計ケースの側面に開口を配置することを含む。時計ケース１８と管状の通路２４との間に封止手段２５が設けられている。通路によって時計ケース内に電気コネクタが導かれ、時計ケースの外部に対して通路２４の内部を確実に封止する手段が設けられている。これらの封止手段は例えば電気コネクタの周囲に成形された継ぎ手２６の形式で、通路の内部と同じ形状を有するので、プラグの機能を確実に果たす。
【００３５】
電気コネクタ自体が電子デバイスのケースの内部を貫通しないような、電気コネクタな手段も用いることができる。例えば、欧州特許第０１８６８０４号に記載された１組の組み合わせ接点を使用でき、または欧州特許第１０１４２３１号に記載されたデバイスのケースによって達成される容量結合も使用することができる。後者の実施形態では、ケース内に開口を設ける必要がないので、封止の観点からデバイスのケース１８の組み立てが容易になるので有利である。
【００３６】
図３はアンテナ１が同じ基板２８に印刷された２つのコイル２、２７を含む本発明のポータブル電子デバイス１５のアンテナ１の第２の実施形態を示す。基板２８は図１を参照しながら説明した基板４と同じタイプであり、唯一の相違点はその厚みが図１の前記基板の厚みより大幅に厚くなければならないということである。実際、コイル２、２７は基板２８の表面２９、３０の各々に互いに向き合うように設けられており、したがって、アンテナ１の受信品質にとって有害な浮遊容量結合を有する。上述したように、容量結合の振幅は２つのコイル２，２７のそれぞれの巻き線の幅と動作周波数とに依存する。当業者は、アンテナ１に必要な空間と容量結合がその受信感度に与える影響の折り合いを見つけるために容易に基板２８の厚みを調整することができるであろう。
【００３７】
図３には、図１を参照して説明した要素、すなわち、渦巻きばねの外部の第１の端部５と渦巻きばねの内部の第２の端部９とを有するコイル２と、矩形のコネクタ６，８と、基板２８の背面３０上に電気接続や金属化経路１４を確立させる基板２８内の２つの開口１０、１２とが示されている。
【００３８】
また、基板２８の背面３０上に印刷された一般に渦巻きばね状の第２のコイル２７が示され、コイル２７の第１の端部３１が渦巻きばねの外側で金属化経路１４に接続されている。渦巻きばねの内側に位置するコイル２７の第２の端部３２は、第１のコイル２の第２の端部９を基板２８の背面３０に接続する開口１０に接続され、２つのコイル２と２７とは直列に接続されている。
【００３９】
さらに、その結果得られるアンテナ１の感度を向上させるために、２つのコイル２、２７は互いに逆方向に巻かれていることに留意すべきである。事実、図３に示す非限定的な例では、基板２８の上面２９に位置するコイル２は、第１の外部端５から内部端９に向かって右回りに巻かれ、基板２８の背面３０上に位置するコイル２７は、第１の外部端３１から内部端３２に向かって左回りに巻かれる。このようにして、それぞれのコイル２、２７に同じ磁場を印加することで発生するそれぞれの誘導電流は同じ電流方向を有し、集積無線放送信号処理回路２２によって受信される前に加えられる。
【００４０】
図３に示すコイル２と２７が重畳していない構成によって、巻き線が重畳する構成と比較して容量結合の危険が低減することにも留意されたい。
【００４１】
図３に示すアンテナ１の製造方法は図１に示すアンテナの製造方法と同様である。
【００４２】
同様に、このアンテナの配置は図２を参照する説明と同じ要件を満たす。
【００４３】
上記説明は本発明の好ましい実施形態に対応するもので、特にアンテナがいくつかのコイルを含む時のコイルの数または関連する配置に関し、限定的と考えてはならない。実際に、例えば、本発明のポータブル電子デバイスのケースのそれぞれ２つの側面にそれぞれ収容された２つの別個の基板によって担持された２つのコイルを備えるアンテナを使用することができる。言い換えれば、２つのストランドを備えたリストバンドの場合、２つのコイルの各々を異なるストランド内に収容できる。その場合、追加の接点と追加の金属化経路とをプリント回路基板上に提供しなければならない。
【００４４】
時間表示手段に結合された時計仕掛のムーブメント（図２の参照番号３３で示す）を本発明のポータブル電子デバイス内に組み込むことも可能である。
【図面の簡単な説明】
【００４５】
【図１】本発明のアンテナの上面図である。
【図２】本発明の好ましい実施形態の図１に示すアンテナを組み込んだ電子デバイスの透視図である。
【図３】本発明の第２の実施形態のアンテナの図１と同様の上面図である。
【図１】
2005515679.tif 000003
【図２】
2005515679.tif 000004
【図３】
2005515679.tif 000005
【手続補正書】
【提出日】平成15年9月19日(2003.9.19)
【手続補正１】
【補正対象書類名】特許請求の範囲
【補正対象項目名】全文
【補正方法】変更
【補正の内容】
【特許請求の範囲】
【請求項１】
リストバンドと、ケース（１８）と、前記リストバンド内に配置されたアンテナ（１）を含む無線放送信号を受信する回路とを含むポータブル電子デバイス（１５）であって、前記アンテナ（１）が各々渦巻きばね状の巻き線の形に作成された少なくとも第１の平巻コイル（２）と第２の平巻コイル（２７）とを含み、前記アンテナ（１）が２つの向き合う面（２９、３０）を有する撓み基板（２８）に印刷され、前記２つのコイル（２、２７）がそれぞれ前記基板（２８）の一方の面（２９）と他方の面（３０）にそれぞれ印刷されていることを特徴とするポータブル電子デバイス（１５）。
【請求項２】
それぞれの渦巻きばね状の巻き線であるために、前記コイル（２、２８）が対応する巻き線の外側に位置する第１の端部（５、３１）と前記巻き線の内側に位置する第２の端部（９、３２）とを各々有し、前記第２のそれぞれの端部（９、３２）が基板（２８）を貫通し、電導材料を充填されて作成された穴（１０）を介して接続されることを特徴とする請求項１に記載の電子デバイス（１５）。
【請求項３】
固定観察点で第１の端部（５、３１）から巻き線を考察した時に、前記コイル（２、２７）が逆の巻き方向を有することを特徴とする請求項２に記載の電子デバイス（１５）。
【請求項４】
前記ケース（１８）が水密であり、前記無線放送信号受信回路が前記ケース（１８）内に位置する集積回路（２２）を含み、前記集積回路（２２）が前記無線放送信号を処理でき、前記アンテナ（１）を前記集積回路（２２）内に封止状態で接続する手段（６、７、８、２４、２５、２６）が設けられていることを特徴とする請求項１、２、または３のいずれかに記載の電子デバイス（１５）。
【請求項５】
前記接続手段が内部に少なくとも１つの封止ガスケット（２５、２６）が配置された前記ケース（１８）内の適切な開口を通過する金属コネクタ（６、８）を含むことを特徴とする請求項４に記載の電子デバイス（１５）。
【請求項６】
前記金属コネクタ（６、８）も前記基板（４、２８）上に印刷されていることを特徴とする請求項５に記載の電子デバイス（１５）。
【請求項７】
前記巻き線の外部に位置する前記第１の１つまたは複数の端部（５、３１）を接続する金属コネクタまたはコネクタ（６、８）が前記巻き線と一体に形成されていることを特徴とする請求項５に記載の電子デバイス（１５）。
【請求項８】
前記金属コネクタ（６、８）が銅製であることを特徴とする請求項５に記載の電子デバイス（１５）。
【請求項９】
前記集積回路（２２）がプリント回路基板（１９）に形成され、接点（２０）を形成した前記プリント回路基板（１９）に前記金属コネクタ（６、８）を接続して、前記プリント回路基板（１９）が前記接点（２０）を前記集積回路（２２）に接続するための金属化経路（２３）をさらに含むことを特徴とする請求項４に記載の電子デバイス（１５）。
【請求項１０】
前記コイル（２、２７）が銅製であることを特徴とする請求項１、２または３のいずれかに記載の電子デバイス（１５）。
【請求項１１】
アンテナ（１）が約１００ＭＨｚの搬送周波数を有する無線放送信号を受信することができるように前記アンテナ（１）の寸法が形成されることを特徴とする請求項１、２または３のいずれかに記載の電子デバイス（１５）。
【請求項１２】
前記ケース（１８）が時間表示手段に結合された時計ムーブメント（３３）をさらに含むことを特徴とする請求項１１に記載の電子デバイス（１５）。
【請求項１３】
外側表面（１７）側に位置する前記リストバンドの厚み（ｄ）が他方の側に位置するリストバンドの厚みより大きくなるように前記アンテナ（１）が前記リストバンド内に収容されていることを特徴とする請求項１、２または３のいずれか１項に記載の電子デバイス（１５）。
【国際調査報告】
2005515679.tif 000006
2005515679.tif 000007
2005515679.tif 000008